(57)【特許請求の範囲】
【請求項１】
腰掛け部を有する椅子本体と、前記腰掛け部の両側に設けられた肘あて部とを含む理美容椅子において、
前記肘あて部は、肘を載置できる使用姿勢と、使用姿勢から前記腰掛け部の前後方向に沿う方向の回動中心軸を中心に外側へ回動して前記腰掛け部の下部に収容される収容姿勢との間で姿勢変化できるように、前記腰掛け部の外縁部よりも中心側に配置された上記回動中心軸を中心に回動可能に設けられており、
その先端には係止片が突設された、略Ｌ字状に形成された係合棒と、該係合棒が係止される切欠溝とよりなる、ロック機構が備えられ、
前記肘あて部を使用姿勢に変化させる場合、前記係合棒の先端が前記切欠溝に侵入した状態で前記係合片を、前記腰掛け部の外縁部に沿うように配置し、前記係合片を前記腰掛け部の外縁部に当接させて、前記肘あて部を使用姿勢の状態でロックし、
前記肘あて部を収容姿勢に変化させる場合、前記係合片を、前記切欠溝の長手方向に沿うように配置し、前記肘あて部を回動させて前記腰掛け部の下部に収容された姿勢にまで姿勢変化させることを特徴とする理美容椅子。
【発明の詳細な説明】
【０００１】
【発明の属する技術分野】
この発明は、理容，美容用に使用される椅子に関するものであり、詳しくは、高齢者または身障者用に改良された理美容椅子に関するものである。
【０００２】
【従来の技術と発明が解決しようとする課題】
従来から、理美容椅子には、顧客（被施術者）がリラックスして施術を受けることができるように、リクライニング機構付きの背もたれや、両肘を載置できる肘あてが設けられている。
【０００３】
ところで、理美容椅子の両側に肘あてが設けられていることにより、腰掛けた状態では十分にリラックスすることができるのであるが、腰掛ける際に肘あてが邪魔になる場合がある。つまり、理美容椅子に腰掛ける際には、椅子の横側から腰掛けることができず、必ず椅子の前方側へ移動し、身体を後方へ移動させながら腰掛けなければならない。このことは、特に、高齢者や車椅子から理美容椅子に移動する際の身障者等にとっては、きわめて腰掛けにくいものである。
【０００４】
かかる不都合を避けるためには、たとえば肘あてを上方へ回動させることができる機構（実開平３−３５７４５号公報参照）を設けることが考えられる。このようにすれば、理美容椅子に腰掛ける際にも肘あてが邪魔にならず、身障者が車椅子から理美容椅子に移動する際にも移動しやすくなる。
【０００５】
しかしながら、肘あてを上方へ回動させる機構を設けると、特に身障者が利用する場合に次のような新たな問題が生じる。すなわち、身障者が車椅子から理美容椅子に移動する際には、通常、介助者が必要であるが、このとき、肘あてを上方へ回動させただけでは、その回動させた肘あてが介助者にとって邪魔になり、結局のところ車椅子から理美容椅子への移動が困難なものとなってしまう。
【０００６】
この問題を避けるために、肘あてを理美容椅子の上方からさらに後方側まで回動させればよいのであるが、一般に理容美容院では、理美容椅子の後方にシャンプー台等を配置する場合も多いため、これが邪魔になって、肘あてを椅子の後方まで回動させることができない場合も多いという特有の問題がある。
そこで、本発明は、高齢者や身障者でも容易に腰掛けることができるように改良された理美容椅子を提供することを目的とする。
【０００７】
【課題を解決するための手段】
本発明の目的を達成するため、本発明に係る理美容椅子は、腰掛け部を有する椅子本体と、前記腰掛け部の両側に設けられた肘あて部とを含む理美容椅子において、前記肘あて部は、肘を載置できる使用姿勢と、使用姿勢から前記腰掛け部の前後方向に沿う方向の回動中心軸を中心に外側へ回動して前記腰掛け部の下部に収容される収容姿勢との間で姿勢変化できるように、前記腰掛け部の外縁部よりも中心側に配置された上記回動中心軸を中心に回動可能に設けられており、その先端には係止片が突設された、略Ｌ字状に形成された係合棒と、該係合棒が係止される切欠溝とよりなる、ロック機構が備えられ、前記肘あて部を使用姿勢に変化させる場合、前記係合棒の先端が前記切欠溝に侵入した状態で前記係合片を、前記腰掛け部の外縁部に沿うように配置し、前記係合片を前記腰掛け部の外縁部に当接させて、前記肘あて部を使用姿勢の状態でロックし、前記肘あて部を収容姿勢に変化させる場合、前記係合片を、前記切欠溝の長手方向に沿うように配置し、前記肘あて部を回動させて前記腰掛け部の下部に収容された姿勢にまで姿勢変化させることを特徴とするものである。
【０００８】
この構成によれば、肘あて部の回動中心軸が腰掛け部の前後方向に沿う方向に配置されているから、使用姿勢にある肘あて部を回動させることにより肘あて部を椅子本体に対して外側へ回動させて腰掛け部から垂下した状態とすることができる。しかも、この回動中心軸は、腰掛け部の外縁部よりも中心側に配置されているから、垂下状態となった肘あて部をさらに回動させて腰掛け部の下部に収容された姿勢（収容姿勢）に姿勢変化させることができる。加えて、ロック機構により、肘あて部を使用姿勢の状態にロックすることができる。
【０００９】
【発明の実施の形態】
以下、本発明の実施の形態について説明する。
図１は、本実施の形態に係る理美容椅子１の外観斜視図であって、一対設けられている肘あて部２，３のうち肘あて部２を下方へ回動倒伏させた状態を示している。
【００１０】
本実施の形態の特徴とするところは、肘あて部２，３のいずれか一方または両方を図１に示す姿勢（収容姿勢）に変化させることができるようになっている点であり、このように肘あて部２，３を腰掛け部６の下方へ収容した状態とすることにより、特に高齢者や身障者にとって使用しやすいものとなっている。以下、詳しく説明する。
【００１１】
図１を参照して、理美容椅子１は、椅子本体４と、上述した一対の肘あて部２，３とを有している。
椅子本体４は、ベース５と、ベース５上に取り付けられた腰掛け部６と、腰掛け部６の後方に取り付けられた背もたれ部８と、腰掛け部６の前方に設けられた足掛け部９とを有している。
【００１２】
腰掛け部６は、フレーム１１を備えており、このフレーム１１がベース５の支柱７に固定されている。なお、腰掛け部６は、ベース５に対して昇降可能に設けることもでき、この場合には、既知の昇降装置を採用することができる。また、背もたれ部８は、腰掛け部６に設けられたフレーム１１に取り付けられている。この背もたれ部８には、既知のリクライニング機構を設けることもできる。
【００１３】
肘あて部２，３は、腰掛け部６のフレーム１１に左右対称に取り付けられている。この取り付けは、たとえばねじ等を用いて締結することができる。各肘あて部２，３は、後に詳述するヒンジ機構１２およびロック機構１３を介して取り付けられており、被施術者が理美容椅子１に腰掛けた状態で肘を載置できる姿勢、すなわち、図１において肘あて部３の姿勢（使用姿勢）と、被施術者が理美容椅子１に乗り降りする際の姿勢、すなわち、図１において肘あて部２の姿勢（収容姿勢）との間で姿勢変化が可能となっている。
【００１４】
次に、図２ないし図４を参照して、肘あて部３のヒンジ機構１２およびロック機構１３について説明する。図２ないし図４は、上記ヒンジ機構１２およびロック機構１３を示す要部斜視図であって、図１において理美容椅子１の斜め後方から見た図である。なお、説明を簡単にするために、図２ないし図４では、腰掛け部６のフレーム１１を二点鎖線で示し、フレーム１１上に設けられているクッション部分は省略している。
【００１５】
図２は、ロック機構１３によって肘あて部２が使用姿勢にロックされた状態を示している。同図を参照して、ヒンジ機構１２は、腰掛け部６のフレーム１１に固定された支持ボス１４と、肘あて部２側に固定された支持板１５と、これらを回動自在に連結するピン１７（回動中心軸）とを有している。支持板１５には、図２に示すように連結用のボス４２が一対設けられており、このボス４２と上記支持ボス１４とを同芯状に位置決めし、ピン１７を挿入することによって両者が回動自在に連結されている。
【００１６】
ピン１７の軸方向は、腰掛け部６の前後方向（白抜き矢印１６に沿う方向）に沿うように配置されている。これにより、肘あて部２は、矢印４１の方向に沿って、すなわち、椅子本体４に対して外側へ開くように回動するようになっている（図１参照）。また、ピン１７の軸線は、フレーム１１の外側端部５１から所定距離ｄだけ内側に配置されている。これにより、肘あて部２が下方へ回動した場合には、肘あて部２が腰掛け部６の下方内側へ入り込むようになっている。なお、肘あて部３側についても同様のヒンジ機構を設けることができる。
【００１７】
ロック機構１３は、上記支持板１５に取り付けられた係合棒４５と、係合棒４５が係合する切欠溝４６とを含んでいる。
係合棒４５は、略Ｌ字状に形成されており、たとえば丸棒部材により構成することができる。係合棒４５の先端部４７は、支持板１５を貫通しており、支持板１５に対して矢印４８の方向に沿って回動自在に取り付けられている。係合棒４５の先端部４７には、当該先端部４７の径方向に突出する係止片４９が突設されている。また、係合棒４５の他端部には、把手５０が設けられている。この把手５０を操作することにより、容易に係合棒４５を回動させることができるようになっている。
【００１８】
切欠溝４６は、図に示すように、フレーム１１の外側端部５１から内側へ所定長さ延びて形成されている。切欠溝４６の溝幅ｗは、上記係合棒４５の先端部４７の外径寸法よりも若干大きくなる寸法に設定されている。これにより、係合棒４５は、切欠溝４６に対してスライド状態で進退自在となっている。したがって、係合棒４５が切欠溝４６に進入した状態で上記係合片４９をフレーム１１の外側端部５１に沿うように配置すると、係合片４９がフレーム１１に当接して、支持板１５の回動が規制されるようになっている。また、上記係合片４９をフレーム１１の外側端部５１に垂直となるように、すなわち切欠溝４６の長手方向に沿うように配置すると、支持板１５が回動できるようになっている。
【００１９】
理美容椅子１の作用効果について説明すると、まず、図２の状態から、把手５０を手で把持して矢印４８に沿って右方向へ操作し、係合片４９を切欠溝４６の長手方向に沿うように配置する（図３参照）。そして、肘あて部２を回動させると、肘あて部２がピン１７を中心に矢印４１に沿って下方へ回動する。このとき、ピン１７の軸方向は、フレーム１１の外側端部５１よりも内側に配置されているから、肘あて部２を腰掛け部６の下部に収容された姿勢（収容姿勢）にまで姿勢変化させることができる。つまり、肘あて部２が腰掛け部６より外側に突出させることがないので、たとえば身障者が車椅子から理美容椅子１へ移る場合に、介助者が介助する際に肘あて部２が邪魔にならず、容易に乗り移らせることができる。
【００２０】
また、理美容椅子１へ移った後は、肘あて部２をもとの状態（使用姿勢）にもどし、ロック機構１３によって肘あて部２を使用姿勢の状態にロックすることができる。これにより、施術中に肘あて部２が移動することがなく、安全に施術を行うことができるという利点がある。
【００２１】
【発明の効果】
以上のように本発明によれば、肘あて部の回動中心軸が腰掛け部の前後方向に沿う方向であって、かつ腰掛け部の外縁部よりも中心側に配置されているから、使用姿勢にある肘あて部を回動させて腰掛け部の下部に収容された姿勢に変化させることができる。これにより、たとえば身障者が車椅子から理美容椅子へ移る場合に、介助者が介助する際に肘あて部が邪魔にならず、容易に乗り移らせることができる。また、ロック機構により、肘あて部を使用姿勢の状態にロックすることができるから、施術中に肘あて部が移動することがなく、安全に施術を行うことができるという利点がある。
【図面の簡単な説明】
【図１】本実施の形態に係る理美容椅子の外観斜視図である。
【図２】ヒンジ機構およびロック機構を示す要部斜視図であって、肘あて部が使用姿勢にロックされた状態を示す図である。
【図３】ロック機構を操作し、肘あて部のロックを解除した状態を示す要部斜視図である。
【図４】ヒンジ機構およびロック機構を示す要部斜視図であって、肘あて部が収容姿勢にロックされた状態を示す図である。
【符号の説明】
１    理美容椅子
２    肘あて部
３    肘あて部
４    椅子本体
６    腰掛け部
１１  フレーム
１２  ヒンジ機構
１３  ロック機構
１４  支持ボス
１５  支持板
１７  ピン
【図１】
0004002001.tif 000002
【図２】
0004002001.tif 000003
【図３】
0004002001.tif 000004
【図４】
0004002001.tif 000005